(57)【要約】【課題】永久磁石を帯内に堅固に安定して固定し、永久磁石入り帯の用途が拡大する。【解決手段】平板円形永久磁石が埋設されない部分で、樹脂筒状体帯状内面同士が樹脂筒状体内面の熱融着によって接着することで密着し、平板円形永久磁石が埋設される部分で、樹脂筒状体帯状内面の上面及び下面が前記密着した部分と共に袋部を形成して、前記平板円形永久磁石を密着、保持する。【選択図】図１
2019090143.tif 000002
【特許請求の範囲】
【請求項１】
筒状体と、当該筒状体内に間隔を置いて設置された複数の平板円形永久磁石とからなる永久磁石入り帯において、
前記筒状体が、細長形状の樹脂筒状体で形成され、永久磁石が平板円形永久磁石であり、前記筒状体内に間隔を置いて平板円形永久磁石が埋設されるものであって、
当該樹脂筒状体が、
細長形状長手方向で、前記平板円形永久磁石が埋設される部分と前記平板円形永久磁石が埋設されない部分とからなって、これらの部分が交互に連続して帯状をなし、
前記平板円形永久磁石が埋設されない部分で、樹脂筒状体帯状内面の上面及び下面が樹脂筒状体内面の熱融着によって接着することで密着し、前記平板円形永久磁石が埋設される部分で、樹脂筒状体帯状内面の上面及び下面が前記密着した部分と共に袋部を形成して、前記平板円形永久磁石を密着、保持すること
を特徴とする永久磁石入り帯。
【請求項２】
請求項１に記載された永久磁石入り帯が用いられ、身体に巻回され得る永久磁石入り帯と成形されたプラスチック板に保持された袋状カイロとからなる永久磁石入り帯と袋状カイロとの組み合わせであって、成形されたプラスチック板が、板面上に袋状カイロを保持し、多数の平板円形永久磁石を成形プラスチック材で並列固着して備え、当該平板円形永久磁石の並列間隔を前記永久磁石入り帯に保持された前記平板円形永久磁石の配置間隔に合致させた形態を有することを特徴とする永久磁石入り帯と袋状カイロとの組み合わせ。
【発明の詳細な説明】
【技術分野】
【０００１】
本発明は、永久磁石入り帯及び永久磁石入り帯と袋状カイロとの組み合わせに関する。
【背景技術】
【０００２】
永久磁石入り帯が健康帯として用いられる。磁石磁気を利用し人体の血流をよくし、腰痛の予防・軽減のため永久磁石入り帯が用いられる。
【０００３】
特許文献１には、伸縮性のある環状起毛した表地と、吸湿性と伸縮性とのある裏地とを発泡させた樹脂体からなる心地を介して相互に接着し、心地の中にはひも状の可とう性永久磁石を連続的に埋設してなる磁石入り腹帯が記載される。
【０００４】
特許文献２には、永久磁石を包袋内に装着した永久磁石封入帯が記載される。
【０００５】
特許文献３には、天然皮革、合成樹脂皮革等の表面材と、この表面材の下部に位置すると共に複数の永久磁石粒子を収納する小孔を穿った柔軟性の中間芯材と、この中間芯材及び前記表面材と重ね合わせて三者一体になる裏面材とでなしたベルトが記載される。
【０００６】
特許文献４には、伸縮性を有する帯体の長手方向に沿って袋部を形成し、該袋部内に複数個の磁石粒を並列してなる磁石治療帯が記載される。
【０００７】
特許文献５には、磁石を埋設またはその一部を表面に露出させた状態で一体化させた磁石入りベルトが記載される。
【先行技術文献】
【特許文献】
【０００８】
【特許文献１】実公昭５５−５４５０６号公報
【特許文献２】実開昭５４−１１１９９４号公報
【特許文献３】実用新案登録第３１５８９０７号公報
【特許文献４】実開昭６１−１２７７４９号公報
【特許文献５】特開平８−９９７０５号公報
【発明の概要】
【発明が解決しようとする課題】
【０００９】
磁石磁気を利用し人体の血流をよくし、腰痛の予防・軽減のため永久磁石入り帯を持ちる場合に、永久磁石入り帯が様々な形態で使用されることが予測され、どのような形態で使用されようとも永久磁石を帯内に堅固に固定しておくことが求められる。このように、永久磁石を帯内に堅固に安定して固定しておくことができれば、各種の永久磁石入り帯の用途に適合しやすい永久磁石入り帯を提供され、永久磁石入り帯の用途が拡大する。
【００１０】
特許文献のいずれにあっても、永久磁石を帯内に堅固に安定して固定しておくことについては記載しない。特許文献１には、表地と裏地を接着することを記載する画が、この接着は、樹脂体からなる心地によってなしており、樹脂体同士を接着するものではない。特許文献のいずれにあっても、永久磁石を堅固に安定して固定しておくために樹脂体を用い、樹脂体の特徴を生かし樹脂体帯内に永久磁石を堅固に安定して固定することについては記載しない。
【００１１】
本発明は、かかる点に鑑みて、永久磁石を帯内に堅固に安定して固定し、各種の永久磁石入り帯の用途に適合しやすい永久磁石入り帯を提供することを課題とする。
【課題を解決するための手段】
【００１２】
本実施例では、筒状体と、当該筒状体内に間隔を置いて設置された複数の平板円形永久磁石とからなる永久磁石入り帯が用いられる。この場合に、前記筒状体が、細長形状の樹脂筒状体で形成され、永久磁石が平板円形永久磁石であり、前記樹脂筒状体内に間隔を置いて平板円形永久磁石が埋設され、熱融着を利用して永久磁石を堅固に安定して固定することがなされる。
【００１３】
具体的には、当該樹脂筒状体が、
細長形状長手方向で、前記平板円形永久磁石が埋設される部分と前記平板円形永久磁石が埋設されない部分とからなって、これらの部分が交互に連続して帯状をなし、
前記平板円形永久磁石が埋設されない部分で、樹脂筒状体帯状内面同士が樹脂筒状体内面の熱融着によって接着することで密着し、前記平板円形永久磁石が埋設される部分で、樹脂筒状体帯状内面の上面及び下面が前記密着した部分と共に袋部を形成して、前記平板円形永久磁石を密着、保持する構成を有する。本発明は、このような樹脂筒状体を持つ永久磁石入り帯を提供する。
【００１４】
本発明は、さらに上述された永久磁石入り帯が用いられ、身体に巻回され得る永久磁石入り帯と成形されたプラスチック板に保持された袋状カイロとからなる永久磁石入り帯と袋状カイロとの組み合わせであって、成形されたプラスチック板が、板面上に袋状カイロを保持し、多数の平板円形永久磁石を成形プラスチック材で並列固着して備え、当該平板円形永久磁石の並列間隔を前記永久磁石入り帯に保持された前記平板円形永久磁石の配置間隔に合致させた形態を有することを特徴とする永久磁石入り帯と袋状カイロとの組み合わせを提供する。
【発明の効果】
【００１５】
本発明では、細長形状の樹脂筒状体が用いられ、樹脂筒状体帯状内面同士に樹脂筒状体内面の熱融着によって接着することで密着する部分が形成され、樹脂筒状体帯状内面同士が前記密着した部分と共に袋部を形成し、当該袋部が、前記平板円形永久磁石を密着、保持し、永久磁石を帯内に堅固に安定して固定することができ、各種の永久磁石入り帯の用途に適合しやすい永久磁石入り帯を提供する課題が解決される。
【図面の簡単な説明】
【００１６】
【図１】本発明の実施例を製作フローで示す図
【図２】本発明の応用例を示す図
【図３】プラスチック板に保持された袋状カイロが保持された袋状カイロ保持板の状態を示す図
【図４】多数の平板円形永久磁石を成形プラスチック材で並列固着する方法を示す図
【図５】永久磁石入り帯と成形されたプラスチック板との組み合わせが形成された図
【発明を実施するための形態】
【００１７】
以下、本発明の実施例を図面に基づいて説明する。
【００１８】
図１は、本発明の実施例を製作フローで示す図である。
【００１９】
図１（i）において、樹脂筒状体１及び複数の平板円形永久磁石２が準備される。樹脂筒状体１は、チューブ形態で偏平状とされる。脂筒状体１は、熱収縮チューブで、材質が放射線架橋ポリオレフインで形成されたものが使用される。
【００２０】
樹脂筒状体１は、樹脂から形成され、外被３と内部の円筒状空間部４とからなる。内部の円筒状空間部４が偏平状になり、偏平状の円筒状空間部４は、内面が対抗した上面４Ａと下面４Ｂを有し、円筒状空間部４の上面４Ａと下面４Ｂとは密着しやすくなる。
【００２１】
樹脂として、熱可塑性プラスチックが用いられ、熱可塑性プラスチックとして、ポリエチレン、ポリプロピレン、ポリスチレン、ＡＢＳ樹脂、メタクリル樹脂、ポリ塩化ビニル、ポリアミド、ポリアセタール、ポリカポネート、ポリブチレンテレフレート、ポリエチレンテレフタレート、ポリフエニレンオキシド、ポリアミドイミド、ポリエーテルケトン、ポリフエニレン・スルフイド、ポリテトラフルオロエチレンが使用可能とされる。
【００２２】
平板円形永久磁石２は、家庭用医療機器として販売が許可されている永久磁石と家庭用医療機器として販売が許可されていない永久磁石との双方を含む。本実施例で、平板円形永久磁石２は、これら双方の永久磁石を含む概念で使用される。家庭用医療機器として販売が許可されている磁気治療器は、磁力（磁束密度）が３５ミリテスラ〜２００ミリテスラ（３５０〜２０００ガウス）までである。本実施例は、この磁力範囲に限定されない。例えば、１３ｍｍの平板円形永久磁石であって、２４０ミリテスラ（２４００ガウス）のものが市販されている。したがって、本実施例において応用用途に応じて、磁力強度を持つ永久磁石が選択される。使用される永久磁石は、必ずしも真平らな平板円形であることを要しないが、使用される樹脂筒状体１が円筒状をなす関係で、その内部に挿入する操作との関係及び使用上の汎用性から平板円形とされる。平板には、真平らなものばかりでなく、湾曲状の平面を持つ板状のものが含まれる。また、円形には、真円ばかりでなく、変形円形状のものが含まれる。
【００２３】
偏平状の円筒状空間部４は、その大きさが平板円形永久磁石２を押圧押し込みすることで挿入可能な孔大きさとされる。逆いえば、平板円形永久磁石２の大きさは、偏平状の円筒状空間部内の偏平状の孔にタイトに挿入され得る大きさとする。このようにすることで、偏平状の円筒状空間部４に平板円形永久磁石２を挿入するときに、円筒状空間部内面との摩擦力が働く状況下、平板円形永久磁石２を偏平状の円筒状空間部内に位置決めしやすい。平板円形永久磁石２の大きさは、偏平状の円筒状空間部内の偏平状の孔にタイトに挿入され得る大きさとされることで、平板円形永久磁石２の挿入が困難になる場合が想定される。このような場合、ろう材を粉状にして円筒状空間部内の偏平状の孔内の予め装着し、押し込み棒で押し込むと、平板円形永久磁石２を、偏平状の円筒状空間部内の偏平状の孔にタイトに容易に挿入し得る。
【００２４】
図１（ii）において、平板円形永久磁石２が順々に円筒状空間部内に間隔を置いて挿入され、所定の個数の平板円形永久磁石２が所定の長さの樹脂筒状体内に埋設される。
【００２５】
間隔としては、例えば３０〜５０ｍｍが選択される。この間隔に限定されない。３０〜５０ｍｍ以上であってもよいし、以下であってもよい。
【００２６】
所定の個数の平板円形永久磁石２を所定の長さの樹脂筒状体内に埋設するときに準備される位置合せ器具５（図１（iii））に設けた位置合わせ孔７の間隔に近い位置に埋設される。
【００２７】
図１（iii）において、位置合せ器具５が準備される。位置合せ器具５は、板状をなし、木製あるいはプラスチック製になるものが好んで用いられる。位置合せ器具５は、その表面６に位置合わせ孔７が形成される。位置合わせ孔７は、位置合せ器具板を貫通するものでもよいし、穴形状のものであってもよい。位置合せ器具自体あるいは位置合わせ孔７は、平板円形永久磁石２の位置を合わせるものであるので、図１（ii）に示される例に限らず、平板円形永久磁石２の位置を合わせられるものであればよい。
【００２８】
位置合わせ孔７は、本例の場合、円筒状をなし、その内径は、平板円形永久磁石２の外形よりも若干大きく、深さは、平板円形永久磁石２の厚さと同等である。
【００２９】
位置合せ器具５の上側に、所定の個数の平板円形永久磁石２を有する偏平状の円筒状空間部４が載置される。
【００３０】
図１（v）において、所定の個数の平板円形永久磁石２が所定間隔の位置合わせ孔７に合わせて位置調整され、位置が合わされた。これによって、所定間隔を持った所定の個数の平板円形永久磁石２を埋設し内蔵する樹脂筒状体１が形成された。位置合わせ後、位置合せ器具５から樹脂筒状体１が離間された。
【００３１】
このように樹脂筒状体が形成された。樹脂筒状体が、細長形状長手方向で、平板円形永久磁石が埋設される部分Ａと平板円形永久磁石が埋設されない部分Ｂとからなって、これらの部分が交互に連続して帯状をなし、柔軟性を持つ。
【００３２】
図１（vi）において、樹脂筒状体１が耐熱性基台（図示せず。）上に載置される。この状態で、樹脂筒状体１に対してバーナー８による加熱処理がなされる。加熱処理は、樹脂筒状体全体に対してなされ、樹脂筒状体帯状内面同士が樹脂筒状体内面、すなわち偏平上の上面と下面とが熱融着するまでなされる。加熱することで、上面と下面とは押圧されなくても熱融着される。この熱融着によって、まず平板円形永久磁石が埋設されない部分で、樹脂筒状体帯状内面同士が樹脂筒状体内面の熱融着によって接着することで密着する。平板円形永久磁石が埋設されない部分内で形成された密着された個所をここでは密着部分と称する。
【００３３】
このバーナー８による加熱は、矢印で示されるように細長形状長手方向で、樹脂筒状体１の全長にわたってなされる。バーナー８による加熱に代えて、他の熱加熱手段によって加熱し、偏平上の上面と下面とを熱融着させてもよい。例えば、加熱空間を持った加熱装置によって、樹脂筒状体１の全長にわたって一度に加熱してもよい。脂筒状体１を、熱収縮チューブで製作した場合、例えば収縮前の肉厚が０．３ｍｍであった時に、収縮後肉厚は、０．５６ｍｍのようになる。
【００３４】
図１（vii）は、このようにして製作された樹脂筒状体１を示す。図１（vii）が幾分拡大されて図示される。図１（vii）において、上図が平面を示し、下面が側面を示す。熱加熱によって樹脂筒状体１は、全体に細長形状長手方向に伸びることがあってもよい。平板円形永久磁石が埋設されない部分Ｂは、図に示されるように平面からみてその幅が縮小した縮小部、すなわちくびれ部２１を有する。これに対して平板円形永久磁石が埋設される部分Ａは、太部２２を有する。脂筒状体１を、熱収縮チューブで製作することで細長形状長手方向の変形を抑制することができる。で縮小した幅及び最終の平板円形永久磁石が埋設されない部分Ｂの長さ、平板円形永久磁石の大きさを含めた全体形状は、使用用途に応じた所定の設計によって定まる。
【００３５】
平板円形永久磁石２が埋設される部分Ａで、樹脂筒状体帯状の上面４Ａ及び下面４Ｂ（図１（i）参照）の内面同士が前記密着した部分と共に袋部１０を形成する。これらの袋部１０にそれぞれ平板円形永久磁石２が保持される。平板円形永久磁石が埋設される部分Ａで、保持された平板円形永久磁石が袋部１０に密着され、移動することがない。当然に樹脂筒状体帯内面の上面４Ａ及び下面４Ｂに密着する。
【００３６】
樹脂筒状体が、細長形状長手方向で、平板円形永久磁石が埋設される部分Ａと平板円形永久磁石が埋設されない部分Ｂとからなって、平板円形永久磁石が埋設される部分Ａに平板円形永久磁石が埋設され、これらの部分Ａ，Ｂが交互に連続して帯状をなし、柔軟性を持つ。帯状の樹脂筒状体をここでは、永久磁石入り帯２０と呼ぶが、永久磁石入りベルトを包含する概念である。
【００３７】
このように、樹脂筒状体が、
細長形状長手方向で、前記平板円形永久磁石が埋設される部分と前記平板円形永久磁石が埋設されない部分とからなって、これらの部分が交互に連続して帯状をなし、
前記平板円形永久磁石が埋設されない部分で、樹脂筒状体帯状内面同士が樹脂筒状体内面の熱融着によって接着することで密着し、前記平板円形永久磁石が埋設される部分で、樹脂筒状体帯状内面同士が前記密着した部分と共に袋部１０を形成する。形成された袋部１０が平板円形永久磁石２を密着して保持する。当該保持された平板円形永久磁石の上下面が袋部１０に密着して保持され、平板円形永久磁石２が樹脂体帯内に堅固に安定して固定される。永久磁石、すなわち前記平板円形永久磁石を樹脂体帯内に密着した形態が構成される。
【００３８】
図２は、このようにして構成した永久磁石入り帯２０の応用例を示す図である。
【００３９】
図２（i）において、上述した永久磁石入り帯２０が細長形状の布袋１１に収納された。永久磁石入り帯入り細長形状の布袋１１は、柔軟性が有り、図に示されるように、巻回することができる。永久磁石入り帯２０に長さあるいは形状は、用途に応じて調整される。また、永久磁石入り帯入り細長形状の布袋１１は、永久磁石入り帯２０に長さに対応してその長さが調節される。
【００４０】
永久磁石入り帯入り細長形状の布袋１１は、長さが調整されて、人間の肩部、腹部に巻かれ、あるいは首に巻かれ、手足、或いは手首、足首に巻かれて、磁石磁気を利用し人体の血流をよくするために使用される。医療の補助具として使用されてもよい。布袋１１に装飾を施すことで、磁気ネックレスと使用することができる。
【００４１】
人体ばかりでなく、家畜類に使用されてもよい。
【００４２】
図２（ii）において、永久磁石入り帯２０は、平板円形永久磁石が埋設されない部分Ｂにおいて切断され、平板円形永久磁石が埋設される部分Ａが個々に切り離され、各箇所に１個の平板円形永久磁石が埋設された永久磁石入りの包具１２とされた。個体状の永久磁石入りの包具１２は、例えば磁石治療具の一つとして使用される。
【００４３】
また、永久磁石入りの包具１２は、任意の箇所、例えば家庭用の冷蔵庫扉の上に付帯されてもよい。
【００４４】
図３〜図５は、永久磁石入り帯の応用製品としての永久磁石入り帯と袋状カイロとの組み合わせを示す図である。
【００４５】
図３は、プラスチック板３１に保持された袋状カイロ３２が保持された袋状カイロ保持板３０の状態を示す。図３（i）は、袋状カイロ保持板３０が袋状カイロ３２を保持した状態の表側を示し、図３（ii）は、袋状カイロ保持板３０の裏面を示す。
【００４６】
袋状カイロ３２は、市販されており、外部が袋体に形成され、内部に摩擦によって発熱する熱発生剤を有し、熱発生剤が袋体に収納された、身体付近に装着され、身体を温める加温のカイロとして知られる。
【００４７】
これらの図において、プラスチック板３１は、袋状カイロ保持板３０の外形よりも幾分大きめに製作される。矩形形状の袋状カイロ保持板３０は、粘着剤によってプラスチック板上に貼着される。
【００４８】
プラスチックとしては、市販されているプラスチックが使用可能であり、例えばポリエチレン、ポリプロピレン、ポリスチレン、ＡＢＳ樹脂、メタクリル樹脂、ポリ塩化ビニル材からなるプラスチックを使用することができる。
【００４９】
プラスチック板内に平板円形永久磁石３３が埋設される。成形されたプラスチック板３１が、多数の平板円形永久磁石３３を成形プラスチック材で並列固着して備える。当該平板円形永久磁石３３は、並列間隔Ｌｏを持ち、板の上下方向に複数の列として構成され、列と行からなる規則正しい配列とされる。
【００５０】
図４は、多数の平板円形永久磁石３３を成形プラスチック材で並列固着する方法を示す。成形容器４１内に薄い形状のプラスチック板４２が配置される。プラスチック板４２は、複数の列と行からなる規則正しい配列（本例の場合、３列４行）された複数の突起部４３を備え、突起部に形成された窪み４４に平板円形永久磁石３３が予め埋設される。当該平板円形永久磁石３３は、並列間隔Ｌｏを持つ。このような状態が形成されて、射出成型装置（図示せず。）から溶融されたプラスチックが射出される。溶融したプラスチック材の熱によってプラスチック板４２は軟化し、射出されたプラスチック材と一体化する。
【００５１】
これによって、図３（ii）において、プラスチック板３１に形成された穴部３４に平板円形永久磁石３３が埋設された形態が形成される。図３（ii）において、作図上の都合によって穴部３４と平板円形永久磁石３３との間に空隙があるように図示されているが、これらの間に間隙はなく、平板円形永久磁石３３は、穴部内面に密着して保持される。
【００５２】
図５は、３列４行からなる平板円形永久磁石群の中で、中央列の全平板円形永久磁石３３が用いられ、永久磁石入り帯２０と成形されたプラスチック板３１との組み合わせ３０が形成された図を示す。プラスチック板３１は、表側袋状カイロ３２を保持し、裏側で永久磁石入り帯２０と結合される。
成形されたプラスチック板３１が、板面上に袋状カイロ３２を保持し、多数の平板円形永久磁石３３を成形プラスチック材で並列固着して備え、当該平板円形永久磁石３３の並列間隔Ｌｏを前記永久磁石入り帯２０に保持された前記平板円形永久磁石２の配置間隔Ｌに合致させた形態を有する。
【００５３】
永久磁石入り帯２０と成形されたプラスチック板３１に保持された袋状カイロ３２とからなる永久磁石入り帯２０と袋状カイロ３２との組み合わせ３０が形成されることで、利用者は、プラスチック板３１に保持された袋状カイロ３２を永久磁石入り帯２０に、双方の平板円形永久磁石２と３３との結合を利用して身体に装着することができる。
【００５４】
本実施例によれば、細長形状の樹脂筒状体が用いられ、樹脂筒状体帯状内面同士に樹脂筒状体内面の熱融着によって接着することで密着する部分が形成され、樹脂筒状体帯状内面同士が前記密着した部分と共に袋部を形成し、当該袋部が、前記平板円形永久磁石を密着、保持し、永久磁石を帯内に堅固に安定して固定することができ、各種の永久磁石入り帯の用途に適合しやすい永久磁石入り帯が提供される。そして、永久磁石入り帯が応用された各種の製品が提供され、永久磁石入り帯の応用分野が拡大される。
【符号の説明】
【００５５】
２０…永久磁石入り帯、１…樹脂筒状体、２…平板円形永久磁石、３…外皮、４…円筒状空間部、４Ａ…上面、４Ｂ…下面、５…位置合わせ器具、６…表面、７…位置合わせ孔、８…バーナー、１１…布袋、３０…袋状カイロ保持板、３１…プラスチック板、３２…袋状カイロ、Ａ…平板円形永久磁石が埋設される部分、Ｂ…平板円形永久磁石が埋設されない部分。
【図１】
2019090143.tif 000003
【図２】
2019090143.tif 000004
【図３】
2019090143.tif 000005
【図４】
2019090143.tif 000006
【図５】
2019090143.tif 000007
【手続補正書】
【提出日】平成30年10月22日(2018.10.22)
【手続補正１】
【補正対象書類名】特許請求の範囲
【補正対象項目名】全文
【補正方法】変更
【補正の内容】
【特許請求の範囲】
【請求項１】
筒状体と、当該筒状体内に間隔を置いて設置された複数の平板円形永久磁石とからなり、前記筒状体が、細長形状の樹脂筒状体で形成され、永久磁石が平板円形永久磁石であり、前記筒状体内に間隔を置いて平板円形永久磁石が埋設される永久磁石入り帯の制作方法において、
内部の円筒状空間部が扁平状を呈する筒状体及びこの偏平状の円筒状空間部にタイトに挿入され得る複数の平板円形永久磁石が準備され、平板円形永久磁石を偏平状の円筒状空間部に、押し込み棒によって順々に押し込み、所定の個数の平板円形永久磁石を所定の間隔を置いて位置決めして装着し、
細長形状長手方向で、前記平板円形永久磁石が埋設される部分と前記平板円形永久磁石が埋設されない部分とからなって、これらの部分が交互に連続して帯状をなした前記平板円形永久磁石を埋設した樹脂筒状体を形成し、
前記平板円形永久磁石が埋設されない部分で、樹脂筒状体帯状内面の上面及び下面が樹脂筒状体内面の熱融着によって接着することで密着させ、前記平板円形永久磁石が埋設される部分で、樹脂筒状体帯状内面の上面及び下面が前記密着した部分と共に袋部を形成させて、前記平板円形永久磁石を当該樹脂筒状体内に密着、保持させたこと
を特徴とする永久磁石入り帯の制作方法。
【請求項２】
筒状体と、当該筒状体内に間隔を置いて設置された複数の平板円形永久磁石とからなる永久磁石入り帯において、
前記筒状体が、細長形状の樹脂筒状体で形成され、永久磁石が平板円形永久磁石であり、前記筒状体内に間隔を置いて平板円形永久磁石が埋設されるものであって、
当該樹脂筒状体が、
細長形状長手方向で、前記平板円形永久磁石が埋設される部分と前記平板円形永久磁石が埋設されない部分とからなって、これらの部分が交互に連続して帯状をなし、
前記平板円形永久磁石が埋設されない部分で、樹脂筒状体帯状内面の上面及び下面が樹脂筒状体内面の熱融着によって接着することで密着し、前記平板円形永久磁石が埋設される部分で、樹脂筒状体帯状内面の上面及び下面が前記密着した部分と共に袋部を形成して、前記平板円形永久磁石を密着、保持することを特徴とする永久磁石入り帯が用いられ、身体に巻回され得る永久磁石入り帯と成形されたプラスチック板に保持された袋状カイロとからなる永久磁石入り帯と袋状カイロとの組み合わせであって、成形されたプラスチック板が、板面上に袋状カイロを保持し、多数の平板円形永久磁石を成形プラスチック材で並列固着して備え、当該平板円形永久磁石の並列間隔を前記永久磁石入り帯に保持された前記平板円形永久磁石の配置間隔に合致させた形態を有することを特徴とする永久磁石入り帯と袋状カイロとの組み合わせ。
【手続補正３】
【補正対象書類名】明細書
【補正対象項目名】０００１
【補正方法】変更
【補正の内容】
【０００１】
本発明は、永久磁石入り帯の制作方法及び永久磁石入り帯と袋状カイロとの組み合わせに関する。
【手続補正４】
【補正対象書類名】明細書
【補正対象項目名】０００９
【補正方法】変更
【補正の内容】
【０００９】
磁石磁気を利用し人体の血流をよくし、腰痛の予防・軽減のため永久磁石入り帯を持ちる場合に、永久磁石入り帯が様々な形態で使用されることが予測され、どのような形態で使用されようとも永久磁石を帯内に堅固に固定しておくことが求められる。このように、永久磁石を帯内に堅固に安定して固定しておくことができれば、各種の永久磁石入り帯の用途に適合しやすい永久磁石入り帯が提供され、永久磁石入り帯の用途が拡大する。
【手続補正５】
【補正対象書類名】明細書
【補正対象項目名】００１３
【補正方法】変更
【補正の内容】
【００１３】
具体的には、本発明は、筒状体と、当該筒状体内に間隔を置いて設置された複数の平板円形永久磁石とからなり、前記筒状体が、細長形状の樹脂筒状体で形成され、永久磁石が平板円形永久磁石であり、前記筒状体内に間隔を置いて平板円形永久磁石が埋設される永久磁石入り帯の制作方法において、
内部の円筒状空間部が扁平状を呈する筒状体及びこの偏平状の円筒状空間部にタイトに挿入され得る複数の平板円形永久磁石が準備され、平板円形永久磁石を偏平状の円筒状空間部に、押し込み棒によって順々に押し込み、所定の個数の平板円形永久磁石を所定の間隔を置いて位置決めして装着し、
細長形状長手方向で、前記平板円形永久磁石が埋設される部分と前記平板円形永久磁石が埋設されない部分とからなって、これらの部分が交互に連続して帯状をなした前記平板円形永久磁石を埋設した樹脂筒状体を形成し、
前記平板円形永久磁石が埋設されない部分で、樹脂筒状体帯状内面の上面及び下面が樹脂筒状体内面の熱融着によって接着することで密着させ、前記平板円形永久磁石が埋設される部分で、樹脂筒状体帯状内面の上面及び下面が前記密着した部分と共に袋部を形成させて、前記平板円形永久磁石を当該樹脂筒状体内に密着、保持させたこと
を特徴とする永久磁石入り帯の制作方法を提供する。
【手続補正６】
【補正対象書類名】明細書
【補正対象項目名】００３４
【補正方法】変更
【補正の内容】
【００３４】
図１（vii）は、このようにして製作された樹脂筒状体１を示す。図１（vii）が幾分拡大されて図示される。図１（vii）において、上図が平面を示し、下面が側面を示す。熱加熱によって樹脂筒状体１は、全体に細長形状長手方向に伸びることがあってもよい。平板円形永久磁石が埋設されない部分Ｂは、図に示されるように平面からみてその幅が縮小した縮小部、すなわちくびれ部２１を有する。これに対して平板円形永久磁石が埋設される部分Ａは、太部２２を有する。樹脂筒状体１を、熱収縮チューブで製作することで細長形状長手方向の変形を抑制することができる。で縮小した幅及び最終の平板円形永久磁石が埋設されない部分Ｂの長さ、平板円形永久磁石の大きさを含めた全体形状は、使用用途に応じた所定の設計によって定まる。